(57)【要約】【課題】段ボールの箱を使用しないでも折り畳んで収納する衣類に対して緩衝性能にすぐれ、また、最低限の部材で済むので余分はごみを出さずにすみ、コスト的にも低廉であり、さらに、梱包や開封の作業も簡単な衣類の宅配または郵送用包装体を提供する。【解決手段】マチ１３付き角封筒による紙製宅配袋１２と、この紙製宅配袋１２の中に隙間なく挿入される上面開放の紙製直方体箱１１とからなり、紙製直方体箱１１は段ボール紙ではない板紙を折り曲げ成形してなる。【選択図】図１
0003225453.tif 000002
【実用新案登録請求の範囲】
【請求項１】
マチ付き角封筒による紙製宅配袋と、この紙製宅配袋の中に隙間なく挿入される上面開放の紙製直方体箱とからなり、紙製直方体箱は段ボール紙ではない板紙を折り曲げ成形してなることを特徴とした衣類の宅配または郵送用包装体。
【請求項２】
マチ付き角封筒による紙製宅配袋と、この紙製宅配袋の中に隙間なく挿入される段ボール紙ではない板紙を折り曲げ成形してなる紙製矩形枠とこの紙製矩形枠に組み合わせる矩形の敷板紙とからなることを特徴とした衣類の宅配または郵送用包装体。
【請求項３】
紙製直方体箱は、中央に矩形の底板部があり、その４周辺に長方形の左側壁部，右側壁部、前側壁部，後側壁部が折線を介して連接され、左側壁部，左側壁部端には差込片が折線を介して連接され、前記前側壁部，後側壁部には前記差込片を差し入れるための切込を左右に形成した板紙を、底板部に対して左側壁部，左側壁部、前側壁部，後側壁部を直角に立ち上げ、直角に曲げた差込片を切込に差し入れて係止した請求項１記載の衣類の宅配または郵送用包装体。
【請求項４】
紙製矩形枠は、帯状の板紙の端部近くに切込を相互に逆方向に幅の方向に形成した帯状の板紙を矩形に折り曲げ成形し、切込同士を係合させて係止した請求項２記載の衣類の宅配または郵送用包装体。
【請求項５】
紙製矩形枠は、帯状の板紙の端部近くに切込を相互に逆方向に幅の方向に形成した帯状の板紙をコ字形に折り曲げ成形し、切込同士を係合させて２本の帯状の板紙を相互に係止した請求項２記載の衣類の宅配または郵送用包装体。
【考案の詳細な説明】
【技術分野】
【０００１】
本考案は衣類の宅配または郵送用包装体に関するものである。
【背景技術】
【０００２】
衣類の宅配または郵送を行うには、服が汚れないようにする、服に破損がないようにすることが必要で、ビニール袋や紙袋などを梱包の材料にすることが多い。
【０００３】
服を汚れや破損から守るためには、二重梱包にすることもあり、このように衣服を発送するときには、二重梱包が基本になる。
【０００４】
二重梱包では、内側の梱包はビニールの袋とし、雨などが入らないようにする。外側の梱包は紙袋など分厚いものとし、汚れても商品に伝わらないようにすることも行われている。
【０００５】
梱包の仕上げはしっかりとテープで止め、このとき、隙間ができないようにしっかりと防ぐ。
【０００６】
衣類の宅配または郵送を行うための包装においては、段ボールの箱が多く使用される。段ボールの箱の利点は段ボールで梱包すれば緩衝性が増し、中の衣類がしわに成り難いということである。
【０００７】
また、宅配ビニール袋・クッション封筒・ゆうパケット対応段ボール・プチプチ緩衝材なども使用される。
【０００８】
紙袋や封筒も梱包材料としてはぴったりで、特にＴシャツやズボン等、圧縮しても大丈夫な衣類を梱包することに適している。
【０００９】
このように衣類の宅配または郵送を行うための方法には種々のものがあるが、一例を下記特許文献に示すと、図１２、図１３に示すように、箱型容器本体１の側部に付設され容器本体１の裏側へ折り返し得る第１蓋体２第２蓋体２’を備え、第１蓋体２の先端には挿入片５が連設され、第２蓋体２’には切込９を設けて挿入片５を挿入得るごとくなし、第２蓋体２’の先端にはミシン目Ｃを介して剥離片８を連接し剥離片８にミシン目ｄを介して貼着用片４を連設し、第１蓋体２第２蓋体２’を容器本体裏側へ折り返すときには第１蓋体２および第２蓋体２’をこの順に容器本体１の裏側に折り返し挿入片５と切込９とを係合させるとともに第２蓋体２’の貼着片４を第１蓋体２に貼着して第１第２蓋体２，２’を容器裏面に固定し、容器本体の表側開放部の被覆に際しては剥離片８を引き裂いて第１蓋体２と第２蓋体２’とを分離させ第１第２蓋体２，２’を容器本体１表面に折り返し容器本体１の表面開放部全面を覆うよう構成した包装用容器である。
【特許文献１】実公昭５６−１２１７７号公報
【００１０】
図中３は裏貼着部、６，６′はフラップ、７はシールである。
【００１１】
前記特許文献１によれば、蓋体２，２’を容器本体１の側部に附設し、裏側に折返して、容易に剥離しうるような状態に固着しているので、客は何ら支障なく商品を見ることができ、又、運搬上も邪魔にならないと同時に客に渡すときは、容器本体１の裏側にて固着した蓋体２，２’を剥いで、表側に折返し、シール７等にて止めればよいので、包装紙を用いる必要がなく、しかも、従来の包装に比べて非常に能率的に行なうことができる、また、一方の蓋体２に挿込片５を設けると共に、他方の蓋体２’に挿込み用切込み９を設ければ、商品を取り出した後も、蓋体２，２’を止めておくことができるので利用価値は更に増大する。
【００１２】
下記特許文献も衣類用パッケージに関するもので、陳列展示・販売時には中身が見える状態に変化させることができ、販売後は中身を隠して体裁良く包装することができ、ギフトパッケージにも適した衣類用パッケージとして提案されたものである。
【特許文献２】特許第５１３７７２２号公報
【００１３】
この特許文献２は商品の背面側に当接される台紙部分と、台紙部分の上下に台紙部分の表側へ折り返し可能に連設された上下フラップ部分と、台紙部分の左右両側に台紙部分の表側へ折り返して互いに重ね合わせ可能に連設されて前記台紙部分の表面側に配置された商品を被覆する左右の蓋部材とを備えており、前記上下フラップ部分には、台紙部分の表側に折り返した際、商品の四隅を差し込むためのスリットが形成されており、また、前記左右の蓋部分の一方には係止突起が形成され、他方には該係止突起を差し込み係止するためのスリットが形成されていると共に、前記左右の蓋部分は、前記台紙部分の裏側へ折り返して重ね合わせ前記係止突起を前記スリットに差し込み係止可能としてある。
【考案の概要】
【考案が解決しようとする課題】
【００１４】
前記特許文献１や特許文献２は衣類の宅配または郵送用包装に関するものではなく、このような衣類の宅配または郵送用包装に関する先行技術文献は存在しない。
【００１５】
段ボールの箱の使用は、衣類を折り畳んで収納する際の緩衝性能にはすぐれるが、段ボールはごみとしてかさばり、また、不経済である。しかも、箱内部に収容する衣類はビニール等の袋で梱包するなど、２重の包装となるものである。
【００１６】
本考案の目的は前記従来例の不都合を解消し、段ボールの箱を使用しないでも折り畳んで収納する衣類に対して緩衝性能にすぐれ、また、最低限の部材で済むので余分はごみを出さずにすみ、コスト的にも低廉であり、さらに、梱包や開封の作業も簡単な衣類の宅配または郵送用包装体を提供することにある。
【課題を解決するための手段】
【００１７】
前記目的を達成するため請求項１記載の本考案は、マチ付き角封筒による紙製宅配袋と、この紙製宅配袋の中に隙間なく挿入される上面開放の紙製直方体箱とからなり、紙製直方体箱は段ボール紙ではない板紙を折り曲げ成形してなることを要旨とするものである。
【００１８】
請求項１記載の本考案によれば、衣類は上面開放の紙製直方体箱に収めれば、折り畳んだ状態でも崩れない状態で収容でき、この紙製直方体箱はマチ付き角封筒による紙製宅配袋に隙間なく挿入して納めることで安定したものとなる。
【００１９】
角封筒のフラップを閉じれば梱包は完了する。また、角封筒の表面に送り先を記載し、もしくは記載したシールを貼り付ければ送付可能となる。
【００２０】
また、開封においては角封筒のフラップを開け、紙製直方体箱をそのまま引き出せば上面の開放面が現れるので、衣類を簡単に取り出すことができる。
【００２１】
請求項２記載の本考案は、マチ付き角封筒による紙製宅配袋と、この紙製宅配袋の中に隙間なく挿入される段ボール紙ではない板紙を折り曲げ成形してなる紙製矩形枠とこの紙製矩形枠に組み合わせる矩形の敷板紙とからなることを要旨とするものである。
【００２２】
請求項２記載の本考案によれば、請求項１と同様であるが、衣類は上面開放の紙製矩形枠に上面の開放面から収めれば、折り畳んだ状態でも崩れない状態で収容でき、この紙製矩形枠は矩形の敷板紙とともにはマチ付き角封筒による紙製宅配袋に隙間なく挿入して納めることで安定したものとなる。
【００２３】
角封筒のフラップを閉じれば梱包は完了する。また、角封筒の表面に送り先を記載し、もしくは記載したシールを貼り付ければ送付可能となる。
【００２４】
また、開封においては角封筒のフラップを開け、紙製矩形枠をそのまま引き出せば上面の開放面が現れるので、衣類を簡単に取り出すことができる。
【００２５】
請求項３記載の本考案は、紙製直方体箱は、中央に矩形の底板部があり、その４周辺に長方形の左側壁部，右側壁部、前側壁部，後側壁部が折線を介して連接され、左側壁部，左側壁部端には差込片が折線を介して連接され、前記前側壁部，後側壁部には前記差込片を差し入れるための切込を左右に形成した板紙を、底板部に対して左側壁部，左側壁部、前側壁部，後側壁部を直角に立ち上げ、直角に曲げた差込片を切込に差し入れて係止したことを要旨とするものである。
【００２６】
請求項３記載の本考案によれば、紙製直方体箱は折り曲げ成形することで、簡単に製作できる。
【００２７】
請求項４記載の本考案は、紙製矩形枠は、帯状の板紙の端部近くに切込を相互に逆方向に幅の方向に形成した帯状の板紙を矩形に折り曲げ成形し、切込同士を係合させて係止したことを要旨とするものである。
【００２８】
請求項４記載の本考案によれば、紙製矩形枠は１本の帯状の板紙を折り曲げ成形することで、簡単に製作できる。
【００２９】
請求項５記載の本考案は、紙製矩形枠は、帯状の板紙の端部近くに切込を相互に逆方向に幅の方向に形成した帯状の板紙をコ字形に折り曲げ成形し、切込同士を係合させて２本の帯状の板紙を相互に係止したことを要旨とするものである。
【００３０】
請求項５記載の本考案によれば、紙製矩形枠は、コ字形に折り曲げ成形した２本の帯状の板紙で簡単に製作でき、しかも、２本に分割することで帯状の板紙の長さを１本のものよりも短いものとすることができる。
【考案の効果】
【００３１】
以上述べたように本考案の衣類の宅配または郵送用包装体は、段ボールの箱を使用しないでも折り畳んで収納する衣類に対して緩衝性能にすぐれ、また、最低限の部材で済むので余分はごみを出さずにすみ、コスト的にも低廉であり、さらに、梱包や開封の作業も簡単なものである。
【図面の簡単な説明】
【００３２】
【図１】本考案の衣類の宅配または郵送用包装体の第１実施形態を示す斜視図である。
【図２】本考案の衣類の宅配または郵送用包装体の第１実施形態を示す梱包情態の一部切り欠いた斜視図である。
【図３】本考案の衣類の宅配または郵送用包装体の第１実施形態で使用する紙製直方体箱の展開図である。
【図４】本考案の衣類の宅配または郵送用包装体の第２実施形態を示す斜視図である。
【図５】本考案の衣類の宅配または郵送用包装体の第２実施形態を示す梱包情態の一部切り欠いた斜視図である。
【図６】本考案の衣類の宅配または郵送用包装体の第２実施形態で使用する紙製矩形枠と敷板紙の斜視図である。
【図７】本考案の衣類の宅配または郵送用包装体の第２実施形態で使用する紙製矩形枠の展開図である。
【図８】本考案の衣類の宅配または郵送用包装体の第３実施形態を示す斜視図である。
【図９】本考案の衣類の宅配または郵送用包装体の第３実施形態を示す梱包情態の一部切り欠いた斜視図である。
【図１０】本考案の衣類の宅配または郵送用包装体の第３実施形態で使用する紙製矩形枠と敷板紙の斜視図である。
【図１１】本考案の衣類の宅配または郵送用包装体の第３実施形態で使用する紙製矩形枠の展開図である。
【図１２】従来例を示す展開図である。
【図１３】従来例を示す梱包時の斜視図である。
【考案を実施するための最良の形態】
【００３３】
以下、図面について本考案の実施の形態を詳細に説明する。図１は本考案の衣類の宅配または郵送用包装体の第１実施形態を示す斜視図で、図中１０は衣類を示す。
【００３４】
本考案は、紙製宅配袋１２と紙製宅配袋１２の中に隙間なく挿入される上面開放の紙製直方体箱１１とからなる。
【００３５】
紙製宅配袋１２は、マチ１３付き角封筒によるもので、開口にはフラップ１４を備える。なお、図示は省略するがこのフラップ１４には剥離紙で被覆した接着テープを貼り付けておいてもよい。
【００３６】
上面開放の紙製直方体箱１１は段ボール紙ではない板紙、いわゆる厚紙で作成するもので、図３にその展開図を示すと、中央に矩形の底板部１５があり、その４周辺に長方形の左側壁部１６ａ、右側壁部１６ｂ、前側壁部１７ａ，後側壁部１７ｂが折線Ａ，Ｂを介して連接され、左側壁部１６ａ，左側壁部１６ｂの端には差込片１８が折線Ｃを介して連接される。
【００３７】
前側壁部１７ａ、後側壁部１７ｂには前記差込片１８を差し入れるための鉤形の切込１９を左右に形成した。
【００３８】
このような板紙を、底板部１５に対して左側壁部１６ａ、左側壁部１６ｂ、前側壁部１７ａ，後側壁部１７ｂを折線Ａ，Ｂを介して直角に立ち上げ、さらに差込片１８を左側壁部１６ａ，左側壁部１６ｂに対して内側に直角に折り曲げ、切込１９に差し入れて係止した。
【００３９】
このようにして上面開放の紙製直方体箱１１が形成できるので、その内部に折り畳んだ衣類１０を納め、そのまま紙製宅配袋１２に差し入れて、図２に示すようにフラップ１４を閉じる。
【００４０】
なお、折り畳んだ衣類１０は紙製直方体箱１１に収める際に、薄紙で包んでもよい。
【００４１】
紙製直方体箱１１の全体の大きさや左側壁部１６ａ、左側壁部１６ｂ、前側壁部１７ａ，後側壁部１７ｂの高さは収納すべき衣類１０の嵩に応じて決定する。
【００４２】
フラップ１４を閉じた開口部の形状は図示の例では山形としたが、２つ折りにして矩形としてもよい。
【００４３】
図４は本考案の第２実施形態を示すもので、紙製宅配袋１２と紙製宅配袋１２の中に隙間なく挿入される紙製矩形枠２５と矩形の敷板紙２６とからなる。
【００４４】
紙製宅配袋１２は前記第１実施形態と同じく、マチ１３付き角封筒によるもので、開口にはフラップ１４を備える。なお、図示は省略するがこのフラップ１４には剥離紙で被覆した接着テープを貼り付けておいてもよい。
【００４５】
紙製矩形枠２５は、段ボール紙ではない帯状の板紙を折り曲げ成形してなるもので、図７に示すように、矩形に折れるように折線Ｄを間隔を存して４ヶ所に形成し、また、帯状の板紙の端部近くに切込２７ａと切込２７ｂを相互に逆方向に幅の方向に形成した。
【００４６】
このようにして帯状の板紙を折線Ｄの個所で直角に折り曲げて矩形の枠を成形し、切込２７ａと切込２７ｂを係合させて係止する。
【００４７】
図６に示すように、矩形の敷板紙２６を紙製矩形枠２５の底板として組合せ、内部に折り畳んだ衣類１０を納め、そのまま紙製宅配袋１２に差し入れて、図５に示すようにフラップ１４を閉じる。
【００４８】
なお、折り畳んだ衣類１０は紙製矩形枠２５に収める際に、薄紙で包んでもよい。
【００４９】
この第２実施形態の場合も紙製矩形枠２５の大きさや高さは収納すべき衣類１０の嵩に応じて決定する。
【００５０】
フラップ１４を閉じた開口部の形状は図示の例では２つ折りで矩形となり山形とする場合と比べて梱包密着度が増す。
【００５１】
図８は本考案の第３実施形態を示すもので、紙製宅配袋１２と紙製宅配袋１２の中に隙間なく挿入される紙製矩形枠２５と矩形の敷板紙２６とからなる点は前記第２実施形態と同じであるが、紙製矩形枠２５は１本の帯状の板紙ではなく、２本の帯状の板紙の組合せで形成した。
【００５２】
前記第１実施形態の帯状の板紙の長さを約半分とした短い帯状の板紙を使用し、各帯状の板紙の端付近に切込２７ａと切込２７ｂを相互に逆方向に幅の方向に形成した。
【００５３】
このようにして２本の帯状の板紙をそれぞれ折線Ｄの個所で直角に折り曲げてコ字形の部材を形成し、これらの切込２７ａと切込２７ｂを係合させて係止して矩形の枠を成形する。
【００５４】
使用法は前記第２実施形態と同様である。
【符号の説明】
【００５５】
１…容器本体                  ２、２’…蓋体
３…裏貼着部                  ４…貼着用片
５…挿入片                    ６，６′…フラップ
７…シール                    ８…剥離片
９…切込                      １０…衣類
１１…紙製直方体箱            １２…紙製宅配袋
１３…マチ                    １４…フラップ
１５…底板部                  １６ａ…左側壁部
１６ｂ…右側壁部              １７ａ…前側壁部
１７ｂ…後側壁部              １８…差込片
１９…切込                    ２５…紙製矩形枠
２６…敷板紙                  ２７ａ、２７ｂ…切込
【図１】
0003225453.tif 000003
【図２】
0003225453.tif 000004
【図３】
0003225453.tif 000005
【図４】
0003225453.tif 000006
【図５】
0003225453.tif 000007
【図６】
0003225453.tif 000008
【図７】
0003225453.tif 000009
【図８】
0003225453.tif 000010
【図９】
0003225453.tif 000011
【図１０】
0003225453.tif 000012
【図１１】
0003225453.tif 000013
【図１２】
0003225453.tif 000014
【図１３】
0003225453.tif 000015